(57)【要約】【課題】コイル部を一体で有するシート状コイルの、可動部または保持部への取付作業を容易に行うことが可能で、かつ、可動部または保持部へのシート状コイルの取付強度を高めることが可能な光学装置を提供する。【解決手段】光学装置１は、駆動用磁石３８に対向するコイル部３３を一体で有する複数のシート状コイル３４と、複数のシート状コイル３４が取り付けられるコイル取付部３５ａを有しケース体２５の内周側に取り付けられるフレキシブルプリント基板３５とを備えている。コイル取付部３５ａの厚さはシート状コイル３４の厚さよりも薄くなっており、コイル取付部３５ａの上下方向の幅はシート状コイル３４の上下方向の幅よりも狭くなっている。コイル取付部３５ａは、ケース体２５の内周側に沿うようにシート状コイル３４間の隙間部分で折り曲げられて略筒状に形成された状態で、ケース体２５の内周側に取り付けられている。【選択図】図３
2014115493.tif 000002
【特許請求の範囲】
【請求項１】
撮影用のレンズを有する可動部と、前記可動部を移動可能に保持する保持部と、前記可動部を駆動する駆動機構とを備え、
前記保持部は、前記可動部の外周側を覆うケース体を備え、
前記駆動機構は、前記可動部の外周側または前記ケース体の内周側のいずれか一方に取り付けられる複数の駆動用磁石と、前記駆動用磁石に対向配置されるコイル部を一体で有する複数のシート状コイルと、複数の前記シート状コイルが取り付けられる帯状のコイル取付部を有し前記可動部の外周側または前記ケース体の内周側のいずれか他方に取り付けられるフレキシブルプリント基板とを備え、
複数の前記シート状コイルは、帯状に形成される前記コイル取付部の長手方向に所定の隙間をあけた状態で、前記コイル取付部の一方の面に取り付けられ、
前記コイル取付部の厚さは、前記シート状コイルの厚さよりも薄くなっており、
前記コイル取付部の長手方向に直交する前記コイル取付部の短手方向における前記コイル取付部の幅は、前記コイル取付部の短手方向における前記シート状コイルの幅よりも狭くなっており、
前記コイル取付部の他方の面は、前記コイル取付部が前記可動部の外周側または前記ケース体の内周側のいずれか他方に沿うように前記シート状コイル間の隙間部分で折り曲げられて略筒状に形成された状態で、前記可動部の外周側または前記ケース体の内周側のいずれか他方に取り付けられていることを特徴とする光学装置。
【請求項２】
前記駆動機構は、４個の前記シート状コイルを備え、
前記ケース体は、前記コイル取付部が固定される略四角筒状の筒部を備え、
前記コイル取付部の他方の面は、前記コイル取付部が前記ケース体の内周面に沿うように前記シート状コイル間の隙間部分で折り曲げられて略四角筒状に形成された状態で、前記筒部の内周面に取り付けられていることを特徴とする請求項１に記載の光学装置。
【請求項３】
前記コイル取付部には、前記コイル取付部の短手方向へ突出して前記シート状コイルの一部に接触する突出部が形成されていることを特徴とする請求項１または２記載の光学装置。
【請求項４】
前記シート状コイルには、前記コイル部に電力を供給するための２個の第１半田ランドと、前記コイル取付部の長手方向および前記コイル取付部の短手方向の少なくともいずれか一方において前記第１半田ランドからずれた位置に配置される第２半田ランドとを備え、
前記第１半田ランドおよび前記第２半田ランドが前記コイル取付部に半田付けされて固定されていることを特徴とする請求項１から３のいずれかに記載の光学装置。
【請求項５】
前記コイル取付部には、前記コイル取付部の短手方向へ突出して前記シート状コイルの一部に接触する突出部が形成され、
前記第２半田ランドは、前記突出部に半田付けされて固定されていることを特徴とする請求項４記載の光学装置。
【請求項６】
前記フレキシブルプリント基板は、前記コイル部を外部へ電気的に接続するための帯状の外部接続部を備え、
前記外部接続部は、前記シート状コイル間の隙間部分で折り曲げられて略筒状に形成される前記コイル取付部が展開された状態において、帯状に形成される前記コイル取付部の長手方向の略中心位置から引き出されていることを特徴とする請求項１から５のいずれかに記載の光学装置。
【請求項７】
前記可動部に固定される可動側固定部と前記保持部に固定される保持側固定部と前記可動側固定部と前記保持側固定部とを繋ぐバネ部とを有する板バネを備え、
前記レンズの光軸方向の一方を被写体側とし、前記レンズの光軸方向の他方側を反被写体側とすると、
前記保持側固定部は、前記シート状コイルよりも反被写体側で前記保持部に溶接されて固定され、
前記シート状コイルには、反被写体側に向かって突出する凸部が形成されていることを特徴とする請求項１から６のいずれかに記載の光学装置。
【請求項８】
前記シート状コイルには、前記コイル取付部の短手方向へ窪むコイル側凹部が形成され、
前記コイル取付部の、前記コイル側凹部に対応する位置には、前記コイル取付部の短手方向へ窪む基板側凹部が形成されていることを特徴とする請求項１から７のいずれかに記載の光学装置。
【請求項９】
前記コイル取付部には、前記コイル取付部に前記シート状コイルを取り付ける際に前記コイル取付部が固定される治具に対して前記コイル取付部を位置決めするための貫通孔が形成されていることを特徴とする請求項１から８のいずれかに記載の光学装置。
【発明の詳細な説明】
【技術分野】
【０００１】
本発明は、携帯電話等に搭載される小型の光学装置に関する。
【背景技術】
【０００２】
従来、レンズおよび撮像素子が搭載される可動モジュールを揺動させて振れを補正する振れ補正機能を有する光学ユニットが知られている（たとえば、特許文献１参照）。特許文献１に記載の光学ユニットは、可動モジュールを揺動可能に保持する固定体と、この固定体に対して、可動モジュールを揺動させる振れ補正駆動機構とを備えている。この光学ユニットでは、振れ補正駆動機構は、略四角柱状に形成される可動モジュールの外周面に固定される４個の永久磁石と、４個の永久磁石のそれぞれに対向する４個のコイル部を一体に有する帯状のシート状コイルとを備えている。固定体は、光学ユニットの外周面を構成する略四角筒状の上カバーを備えている。
【０００３】
特許文献１に記載の光学ユニットでは、帯状に形成されるシート状コイルは、コイル部間で折り曲げられて略四角筒状に形成された状態で、上カバーの内周面に沿うように、上カバーの内周面に固定されている。また、シート状コイルは、接着によって上カバーの内周面に固定されている。シート状コイルを上カバーに固定するときには、たとえば、上カバーの内周面に接着剤を塗布した状態で、略四角筒状に形成される上カバーの軸方向の一端側から、略四角筒状に折り曲げたシート状コイルを上カバーの内周側へ挿入した後に接着剤を硬化させている。
【先行技術文献】
【特許文献】
【０００４】
【特許文献１】特開２０１１−２５７５５５号公報
【発明の概要】
【発明が解決しようとする課題】
【０００５】
特許文献１に記載の光学ユニットでは、シート状コイルにコイル部が形成されており、シート状コイルの厚さが比較的厚いため、シート状コイルの剛性は比較的高い。したがって、この光学ユニットでは、シート状コイルを上カバーの内周面に固定するときに、上カバーの内周面に沿うようにシート状コイルを略四角筒状に折り曲げても、シート状コイルの形状が安定しない。そのため、この光学ユニットでは、シート状コイルを上カバーに固定する際の作業が煩雑になる。また、この光学ユニットでは、シート状コイルの形状が安定しないため、シート状コイルを上カバーに取り付けるときに、上カバーの内周面に接着剤を塗布した状態で、上カバーの軸方向の一端側から略四角筒状に折り曲げたシート状コイルを上カバーの内周側へ挿入すると、上カバーの内周面に塗布された接着剤がシート状コイルに擦り取られて、上カバーに対するシート状コイルの取付強度が低下するおそれがある。
【０００６】
そこで、本発明の課題は、可動部と可動部を移動可能に保持する保持部とを備えるとともに、コイル部を一体で有するシート状コイルを備える光学装置において、可動部または保持部へのシート状コイルの取付作業を容易に行うことが可能で、かつ、可動部または保持部へのシート状コイルの取付強度を高めることが可能な光学装置を提供することにある。
【課題を解決するための手段】
【０００７】
上記の課題を解決するため、本発明の光学装置は、撮影用のレンズを有する可動部と、可動部を移動可能に保持する保持部と、可動部を駆動する駆動機構とを備え、保持部は、可動部の外周側を覆うケース体を備え、駆動機構は、可動部の外周側またはケース体の内周側のいずれか一方に取り付けられる複数の駆動用磁石と、駆動用磁石に対向配置されるコイル部を一体で有する複数のシート状コイルと、複数のシート状コイルが取り付けられる帯状のコイル取付部を有し可動部の外周側またはケース体の内周側のいずれか他方に取り付けられるフレキシブルプリント基板とを備え、複数のシート状コイルは、帯状に形成されるコイル取付部の長手方向に所定の隙間をあけた状態で、コイル取付部の一方の面に取り付けられ、コイル取付部の厚さは、シート状コイルの厚さよりも薄くなっており、コイル取付部の長手方向に直交するコイル取付部の短手方向におけるコイル取付部の幅は、コイル取付部の短手方向におけるシート状コイルの幅よりも狭くなっており、コイル取付部の他方の面は、コイル取付部が可動部の外周側またはケース体の内周側のいずれか他方に沿うようにシート状コイル間の隙間部分で折り曲げられて略筒状に形成された状態で、可動部の外周側またはケース体の内周側のいずれか他方に取り付けられていることを特徴とする。
【０００８】
本発明の光学装置では、複数のシート状コイルが一方の面に取り付けられるコイル取付部が可動部の外周側またはケース体の内周側のいずれか他方に沿うようにシート状コイル間の隙間部分で折り曲げられて略筒状に形成された状態で、コイル取付部の他方の面が可動部の外周側またはケース体の内周側のいずれか他方に取り付けられている。また、本発明では、コイル取付部の厚さがシート状コイルの厚さよりも薄くなっている。すなわち、本発明では、シート状コイルよりも薄くなっている箇所でコイル取付部が折り曲げられている。そのため、本発明では、シート状コイル間の隙間部分で折り曲げられて略筒状に形成されたコイル取付部の形状が安定しやすくなり、略筒状に形成されたコイル取付部を取り扱いやすくなる。したがって、本発明では、保持部を構成するケース体または可動部へのシート状コイルの取付作業を容易に行うことが可能になる。
【０００９】
また、本発明では、コイル取付部の一方の面に複数のシート状コイルが取り付けられ、コイル取付部の他方の面が可動部の外周側またはケース体の内周側のいずれか他方に取り付けられるとともに、コイル取付部の短手方向におけるコイル取付部の幅がコイル取付部の短手方向におけるシート状コイルの幅よりも狭くなっている。そのため、本発明では、可動部の外周側またはケース体の内周側とシート状コイルとの間に、コイル取付部の厚み分の隙間を形成することが可能になる。したがって、本発明では、この隙間に、たとえば、可動部の外周側またはケース体の内周側とシート状コイルとを接着するための接着剤を溜めることが可能になる。すなわち、本発明では、可動部の外周側またはケース体の内周側とシート状コイルとの間に形成されるコイル取付部の厚み分の隙間を接着剤溜りとすることが可能になる。その結果、本発明では、保持部を構成するケース体または可動部へのシート状コイルの取付強度を高めることが可能になる。
【００１０】
本発明において、たとえば、駆動機構は、４個のシート状コイルを備え、ケース体は、コイル取付部が固定される略四角筒状の筒部を備え、コイル取付部の他方の面は、コイル取付部がケース体の内周面に沿うようにシート状コイル間の隙間部分で折り曲げられて略四角筒状に形成された状態で、筒部の内周面に取り付けられている。この場合には、ケース体の筒部へのシート状コイルの取付作業を容易にすることが可能になる。また、この場合には、ケース体の筒部の内周面とシート状コイルとの間に、コイル取付部の厚み分の隙間を形成することが可能になり、この隙間を、筒部の内周面にシート状コイルを接着するための接着剤を溜める接着剤溜りとすることが可能になるため、筒部の内周面へのシート状コイルの取付強度を高めることが可能になる。
【００１１】
本発明において、コイル取付部には、コイル取付部の短手方向へ突出してシート状コイルの一部に接触する突出部が形成されていることが好ましい。このように構成すると、突出部によって、コイル取付部に対するシート状コイルの傾き（シート状コイルの倒れ）を抑制することが可能になる。したがって、駆動用磁石とコイル部との隙間を適正に保つことが可能になる。また、突出部によって、コイル取付部に対するシート状コイルの傾きを抑制することが可能になるため、可動部の外周側またはケース体の内周側とシート状コイルとの間に、コイル取付部の厚み分の隙間を適切に形成することが可能になる。
【００１２】
本発明において、シート状コイルには、コイル部に電力を供給するための２個の第１半田ランドと、コイル取付部の長手方向およびコイル取付部の短手方向の少なくともいずれか一方において第１半田ランドからずれた位置に配置される第２半田ランドとを備え、第１半田ランドおよび第２半田ランドがコイル取付部に半田付けされて固定されていることが好ましい。このように構成すると、コイル部に電力を供給するための２個の第１半田ランドに加え、第２半田ランドがコイル取付部に半田付けされて固定されるため、コイル取付部に対するシート状コイルの固定強度を高めることが可能になる。
【００１３】
本発明において、コイル取付部には、コイル取付部の短手方向へ突出してシート状コイルの一部に接触する突出部が形成され、第２半田ランドは、突出部に半田付けされて固定されていることが好ましい。このように構成すると、突出部によって、コイル取付部に対するシート状コイルの傾きを抑制することが可能になる。したがって、駆動用磁石とコイル部との隙間を適正に保つことが可能になる。また、突出部によって、コイル取付部に対するシート状コイルの傾きを抑制することが可能になるため、可動部の外周側またはケース体の内周側とシート状コイルとの間に、コイル取付部の厚み分の隙間を適切に形成することが可能になる。また、このように構成すると、突出部に第２半田ランドが半田付けされて固定されるため、第２半田ランドが半田付けされて固定される半田ランドの配置スペースをコイル取付部に確保しやすくなる。
【００１４】
本発明において、フレキシブルプリント基板は、コイル部を外部へ電気的に接続するための帯状の外部接続部を備え、外部接続部は、シート状コイル間の隙間部分で折り曲げられて略筒状に形成されるコイル取付部が展開された状態において、帯状に形成されるコイル取付部の長手方向の略中心位置から引き出されていることが好ましい。このように構成すると、外部接続部とコイル取付部との接続部分において、複数のコイル部に接続される複数の配線パターンをコイル取付部の両端部のそれぞれに向かって分岐させてから、コイル取付部の両端部のそれぞれに向かって引き回すことが可能になる。したがって、コイル取付部の短手方向に並ぶ配線パターンの数を減らすことが可能になり、その結果、コイル取付部の短手方向におけるコイル取付部の幅を狭くすることが可能になる。
【００１５】
本発明において、光学装置は、可動部に固定される可動側固定部と保持部に固定される保持側固定部と可動側固定部と保持側固定部とを繋ぐバネ部とを有する板バネを備え、レンズの光軸方向の一方を被写体側とし、レンズの光軸方向の他方側を反被写体側とすると、保持側固定部は、シート状コイルよりも反被写体側で保持部に溶接されて固定され、シート状コイルには、反被写体側に向かって突出する凸部が形成されていることが好ましい。このように構成すると、凸部を利用して、保持側固定部の保持部への溶接部分とシート状コイルの本体部分との距離を確保することが可能になる。したがって、保持側固定部が保持部に溶接される際の火の粉がシート状コイルの本体部分に飛んでシート状コイルの本体部分が損傷するのを防止することが可能になる。また、シート状コイルとコイル取付部との半田付け部分と、保持側固定部の保持部への溶接部分とが短絡するのを防止することが可能になる。
【００１６】
本発明において、シート状コイルには、コイル取付部の短手方向へ窪むコイル側凹部が形成され、コイル取付部の、コイル側凹部に対応する位置には、コイル取付部の短手方向へ窪む基板側凹部が形成されていることが好ましい。このように構成すると、コイル側凹部と基板側凹部とを利用して、コイル取付部とシート状コイルとの位置合わせを容易に行うことが可能になる。
【００１７】
本発明において、たとえば、コイル取付部には、コイル取付部にシート状コイルを取り付ける際にコイル取付部が固定される治具に対してコイル取付部を位置決めするための貫通孔が形成されている。この場合には、貫通孔を利用して、コイル取付部が治具に対して位置決めされる。
【発明の効果】
【００１８】
以上のように、本発明では、可動部と可動部を移動可能に保持する保持部とを備えるとともに、コイル部を一体で有するシート状コイルを備える光学装置において、可動部または保持部へのシート状コイルの取付作業を容易に行うことが可能になるとともに、可動部または保持部へのシート状コイルの取付強度を高めることが可能になる。
【図面の簡単な説明】
【００１９】
【図１】本発明の実施の形態にかかる光学装置の斜視図である。
【図２】図１のＥ−Ｅ断面の断面図である。
【図３】図１に示す光学装置の分解斜視図である。
【図４】図３に示すフレキシブルプリント基板に４個のシート状コイルが固定されている状態の斜視図である。
【図５】図３に示すシート状コイルの斜視図である。
【図６】図３に示すフレキシブルプリント基板の斜視図である。
【図７】図５に示すシート状コイルの正面図である。
【発明を実施するための形態】
【００２０】
以下、図面を参照しながら、本発明の実施の形態を説明する。
【００２１】
（光学装置の全体構成）
図１は、本発明の実施の形態にかかる光学装置１の斜視図である。図２は、図１のＥ−Ｅ断面の断面図である。図３は、図１に示す光学装置１の分解斜視図である。なお、以下の説明では、図１に示すように、互いに直交する３方向のそれぞれをＸ方向、Ｙ方向およびＺ方向とし、Ｘ方向を左右方向、Ｙ方向を前後方向、Ｚ方向を上下方向とする。また、図１等のＺ１方向側を「上」側、Ｚ２方向側を「下」側とする。
【００２２】
本形態の光学装置１は、携帯電話等の携帯機器、ドライブレコーダあるいは監視カメラシステム等に搭載される小型かつ薄型のカメラであり、オートフォーカス機能と振れ補正機能とを備えている。この光学装置１は、全体として略四角柱状に形成されている。本形態では、光学装置１は、撮影用のレンズの光軸Ｌの方向（光軸方向）から見たときの形状が略正方形状となるように形成されており、光学装置１の４つの側面は、左右方向と上下方向とから構成される平面（すなわち、Ｚ方向とＸ方向とから構成されるＺＸ平面）または前後方向と上下方向とから構成される平面（すなわち、Ｙ方向とＺ方向とから構成されるＹＺ平面）と略平行になっている。
【００２３】
光学装置１は、撮影用のレンズおよび撮像素子を有する可動部としての可動モジュール４と、可動モジュール４を揺動可能に保持する保持部としての支持体５とを備えている。可動モジュール４は、板バネ６によって支持体５と繋がれている。本形態では、上下方向は、可動モジュール４が揺動していないときの可動モジュール４の光軸方向とほぼ一致する。また、本形態では、可動モジュール４の下端側に撮像素子が搭載されており、上側に配置される被写体が撮影される。すなわち、本形態では、上側（Ｚ１方向側）は、光軸方向の一方側である被写体側（物体側）であり、下側（Ｚ２方向側）は、光軸方向の他方側である反被写体側（撮像素子側、像側）である。
【００２４】
可動モジュール４は、全体として略四角柱状に形成されている。本形態では、可動モジュール４は、光軸方向から見たときの形状が略正方形状となるように形成されている。この可動モジュール４は、レンズを保持し光軸方向へ移動可能な可動体８と、可動体８を光軸方向へ移動可能に保持する保持体９とを備えている。可動体８は、可動体８の上端側で可動体８と保持体９とを繋ぐ板バネ１０と、可動体８の下端側で可動体８と保持体９とを繋ぐ板バネ１１とを介して、保持体９に移動可能に保持されている。
【００２５】
可動体８は、複数のレンズが固定されたレンズホルダ１２と、レンズホルダ１２を保持するスリーブ１３とを備えている。保持体９は、後述の駆動用磁石３８の上端面が固定される磁石固定部材１４と、駆動用磁石３８の下端面が固定される磁石固定部材１５と、可動モジュール４の下端側部分を構成するベース部材１６とを備えている。
【００２６】
レンズホルダ１２は、略円筒状に形成されている。このレンズホルダ１２の内周側には、複数のレンズが固定されている。スリーブ１３は、略筒状に形成されている。具体的には、スリーブ１３は、光軸方向から見たときのスリーブ１３の内周が円形状となり、かつ、光軸方向から見たときのスリーブ１３の外周が略正八角形状となる略筒状に形成されている。スリーブ１３は、その内周側でレンズホルダ１２を保持している。すなわち、スリーブ１３の内周面にレンズホルダ１２の外周面が固定されている。本形態では、スリーブ１３の外周面は、可動体８の外周面となっており、可動体８の外周面は、光軸方向から見たときの形状が略正八角形状となるように形成されている。
【００２７】
磁石固定部材１４、１５は、枠状に形成されている。具体的には、磁石固定部材１４、１５は、光軸方向から見たときの形状が略正方形の枠状となるように形成されている。可動体８は、枠状に形成される磁石固定部材１４、１５の内周側に配置されている。ベース部材１６は、扁平な略直方体状に形成されている。ベース部材１６の中心には、貫通孔１６ａが形成されており、ベース部材１６は、光軸方向から見たときの形状が略正方形の枠状となるように形成されている。ベース部材１６の上端面には、磁石固定部材１５の下面が固定されている。貫通孔１６ａには、ＩＲカットフィルター１７が固定されている。
【００２８】
板バネ１０は、スリーブ１３の上端側に固定される可動体固定部と、磁石固定部材１４に固定される保持体固定部と、可動体固定部と保持体固定部とを繋ぐバネ部とを備えている。この板バネ１０は、その厚さ方向と上下方向とが略一致するように、スリーブ１３および磁石固定部材１４に固定されている。板バネ１１は、スリーブ１３の下端側に固定される可動体固定部と、磁石固定部材１５に固定される保持体固定部と、可動体固定部と保持体固定部とを繋ぐバネ部とを備えている。この板バネ１１は、その厚さ方向と上下方向とが略一致するように、スリーブ１３および磁石固定部材１５に固定されている。
【００２９】
撮像素子は、基板２０に実装されている。基板２０は、ベース部材１６の下面に固定されている。基板２０には、フレキシブルプリント基板（ＦＰＣ）２１が接続されている。ＦＰＣ２１は、光学装置１の下端側で引き回されて、光学装置１の側面から引き出されている。基板２０の下面には、後述の支点部材２７が当接する当接板２２が固定されている。
【００３０】
支持体５は、支持体５の前後左右の４つの側面を構成するケース体２５と、支持体５の下端側部分を構成する下ケース体２６とを備えている。本形態では、ケース体２５は、光学装置１の前後左右の４つの側面を構成し、下ケース体２６は、光学装置１の下端側部分を構成している。
【００３１】
ケース体２５は、たとえば、非磁性の金属材料で形成されている。また、ケース体２５は、略四角形の平板状に形成される底部２５ａと、略四角筒状に形成される筒部２５ｂとを有する略有底四角筒状に形成されている。本形態の底部２５ａは、略正方形状の平板状に形成されている。また、底部２５ａは、筒部２５ｂの上端に繋がっており、ケース体２５の上端面を構成している。底部２５ａには、上下方向へ貫通する貫通孔２５ｃが形成されている。貫通孔２５ｃは、その中心と光軸Ｌとが略一致するように形成されている。ケース体２５は、その軸方向と上下方向とが略一致するように配置されている。また、ケース体２５は、可動モジュール４と、後述のレンズ駆動機構３０および振れ補正機構３１とを外周側から覆うように配置されている。
【００３２】
下ケース体２６は、図３に示すように、略正方形状の平板状に形成される底部２６ａと、底部２６ａの３辺のそれぞれから上側に向かって立ち上る３個の側面部２６ｂとから構成されている。下ケース体２６の底部２６ａは、光学装置１の下面を構成している。底部２６ａの中心には、支点部材２７が固定されている。支点部材２７には、可動モジュール４の揺動の支点となる支点部２７ａが上側に突出するように形成されている。支点部２７ａの表面は、球面の一部を切り取った曲面状に形成されている。支点部２７ａは、当接板２２に当接している。
【００３３】
板バネ６は、可動モジュール４に固定される可動側固定部と、支持体５に固定される保持側固定部と、可動側固定部と保持側固定部とを繋ぐ４本のバネ部とを備えている。可動側固定部は、可動モジュール４の下端側に固定され、保持側固定部は、下ケース体２６の側面部２６ｂの上端に固定されており、板バネ６は、可動モジュール４と支持体５とを下端側（すなわち、反被写体側）で繋いでいる。
【００３４】
本形態では、保持側固定部に対してバネ部が撓むことで、可動側固定部に固定された可動モジュール４の揺動動作が可能となっている。なお、板バネ６は、支点部２７ａと当接板２２とを確実に当接させるための与圧が発生するように（すなわち、可動モジュール４を下方向へ付勢する付勢力が発生するように）、撓んだ状態で固定されている。また、本形態では、保持側固定部は、溶接によって、側面部２６ｂの上端に固定されている。この保持側固定部は、後述のシート状コイル３４よりも下側で側面部２６ｂの上端に固定されている。
【００３５】
また、光学装置１は、保持体９に対して可動体８を光軸方向へ駆動するためのレンズ駆動機構３０と、支持体５に対して可動モジュール４を揺動させて手振れ等の振れを補正するための振れ補正機構３１とを備えている。以下、レンズ駆動機構３０および振れ補正機構３１の構成を説明する。
【００３６】
（レンズ駆動機構および振れ補正機構の構成）
スリーブ１３の外周面には、レンズ駆動機構３０を構成する２個のレンズ駆動用コイル３２が取り付けられている。レンズ駆動用コイル３２は、スリーブ１３の外周面に沿って巻回されている。２個のレンズ駆動用コイル３２は、その巻回方向が互いに異なるように巻回されている。また、２個のレンズ駆動用コイル３２は、上下方向に所定の間隔をあけた状態でスリーブ１３の外周面に固定されている。
【００３７】
ケース体２５の筒部２５ｂを構成する４つの側面の内側のそれぞれには、コイル部３３を一体で有するとともに振れ補正機構３１を構成するシート状コイル３４が配置されている。すなわち、振れ補正機構３１は、４個のシート状コイル３４を備えている。シート状コイル３４は、微細な銅配線からなるコイル部３３がプリント基板上に形成されることによって構成されたＦＰコイルである。コイル部３３は、略長方形の枠状に形成されており、その長辺部分が上下方向で重なるように配置されている。また、コイル部３３の表面は、絶縁膜で覆われている。シート状コイル３４のより具体的な構成については後述する。
【００３８】
４個のシート状コイル３４は、中継用のフレキシブルプリント基板（ＦＰＣ）３５に電気的に接続され固定されている。ＦＰＣ３５は、４個のシート状コイル３４が取り付けられる帯状のコイル取付部３５ａと、コイル部３３を外部へ電気的に接続するための帯状の外部接続部３５ｂとを備えている。コイル取付部３５ａは、略四角筒状に折り曲げられた状態で、筒部２５ｂの内周側に配置されている。４個のシート状コイル３４は、略四角筒状に折り曲げられたコイル取付部３５ａの内周面に取り付けられ、コイル取付部３５ａの外周面は、筒部２５ｂの内周面に取り付けられている。すなわち、４個のシート状コイル３４は、コイル取付部３５ａを介して、筒部２５ｂの内周面に固定されている。外部接続部３５ｂは、ＦＰＣ２１に接続されている。ＦＰＣ３５のより具体的な構成については後述する。
【００３９】
略正方形の枠状に形成される磁石固定部材１４の４個の直線部分と磁石固定部材１５の４個の直線部分とのそれぞれには、略長方形の平板状に形成される駆動用磁石３８が固定されている。すなわち、可動モジュール４の外周側には、４個の駆動用磁石３８が取り付けられている。磁石固定部材１４、１５に固定される４個の駆動用磁石３８のうちの互いに平行に配置される２個の駆動用磁石３８は、ＺＸ平面と略平行に配置され、互いに平行に配置される残りの２個の駆動用磁石３８は、ＹＺ平面と略平行に配置されている。
【００４０】
駆動用磁石３８は、略長方形の平板状に形成された第１磁石片３８ａと第２磁石片３８ｂとの２個の磁石片と、第１磁石片３８ａと第２磁石片３８ｂとの間に配置される磁性部材３８ｃとによって構成されている。具体的には、第１磁石片３８ａの下面と第２磁石片３８ｂの上面との間に磁性部材３８ｃを挟んだ状態で、第１磁石片３８ａと第２磁石片３８ｂと磁性部材３８ｃとが互いに接着固定されることで駆動用磁石３８が形成されている。
【００４１】
駆動用磁石３８は、一方の側面に形成される磁極と他方の側面に形成される磁極とが異なるように着磁されている。すなわち、ＺＸ平面と略平行に配置される駆動用磁石３８は、駆動用磁石３８の前面に形成される磁極と後面に形成される磁極とが異なるように着磁されている。また、ＹＺ平面と略平行に配置される駆動用磁石３８は、駆動用磁石３８の右面に形成される磁極と左面に形成される磁極とが異なるように着磁されている。
【００４２】
また、駆動用磁石３８は、その側面において異なる２つの磁極が上下方向で重なるように着磁されている。具体的には、駆動用磁石３８は、前後方向または左右方向における第１磁石片３８ａの外側面に形成される磁極と第２磁石片３８ｂの外側面に形成される磁極とが異なるように（すなわち、前後方向または左右方向における第１磁石片３８ａの内側面に形成される磁極と第２磁石片３８ｂの内側面に形成される磁極とが異なるように）着磁されている。
【００４３】
本形態では、４つの第１磁石片３８ａの内側面の磁極が全て同じ磁極になるように（すなわち、４つの第２磁石片３８ｂの内側面の磁極が全て同じ磁極になるように）、４個の駆動用磁石３８が配置されている。すなわち、本形態では、４つの第１磁石片３８ａの外側面の磁極が全て同じ磁極になるように（すなわち、４つの第２磁石片３８ｂの外側面の磁極が全て同じ磁極になるように）、４個の駆動用磁石３８が配置されている。
【００４４】
前後方向または左右方向における第１磁石片３８ａの内側面は、２個のレンズ駆動用コイル３２のうちの一方のレンズ駆動用コイル３２の外周面と所定の隙間を介して対向し、前後方向または左右方向における第２磁石片３８ｂの内側面は、他方のレンズ駆動用コイル３２の外周面と所定の隙間を介して対向している。また、前後方向または左右方向における第１磁石片３８ａの外側面は、コイル部３３の２個の長辺部分のうちの一方の長辺部分と所定の隙間を介して対向し、前後方向または左右方向における第２磁石片３８ｂの外側面は、コイル部３３の２個の長辺部分のうちの他方の長辺部分と所定の隙間を介して対向している。
【００４５】
なお、駆動用磁石３８は、１個の磁石片によって構成されても良い。駆動用磁石３８が１個の磁石片によって構成される場合には、本形態の磁性部材３８ｃの配置部分に対応する部分が無着磁領域となる。
【００４６】
本形態では、レンズ駆動用コイル３２および駆動用磁石３８等によって、レンズ駆動機構３０が構成されており、レンズ駆動用コイル３２に電流が供給されると、可動体８とともにレンズが光軸方向へ移動する。また、本形態では、コイル部３３および駆動用磁石３８等によって、振れ補正機構３１が構成されており、光学装置１の外部に配置されるジャイロスコープによって光学装置１の傾きの変化が検出されると、ジャイロスコープでの検出結果に基づいて、コイル部３３に電流が供給される。また、コイル部３３に電流が供給されると、可動モジュール４が支点部２７ａを中心にして光軸Ｌを傾けるように揺動して、振れが補正される。本形態の振れ補正機構３１は、可動部である可動モジュール４を駆動する駆動機構である。
【００４７】
（シート状コイルおよびフレキシブルプリント基板の具体的な構成）
図４は、図３に示すフレキシブルプリント基板３５に４個のシート状コイル３４が固定されている状態の斜視図である。図５は、図３に示すシート状コイル３４の斜視図である。図６は、図３に示すフレキシブルプリント基板３５の斜視図である。図７は、図５に示すシート状コイル３４の正面図である。以下の説明では、図４等のＸ１方向側を「右」側、Ｘ２方向側を「左」側、Ｙ１方向側を「前」側、Ｙ２方向側を「後（後ろ）」側とする。
【００４８】
シート状コイル３４は、略長方形の薄い平板状に形成されている。４個のシート状コイル３４のうちの互いに平行に配置される２個のシート状コイル３４は、ＺＸ平面と略平行に配置され、互いに平行に配置される残りの２個のシート状コイル３４は、ＹＺ平面と略平行に配置されている。また、シート状コイル３４は、略長方形に形成されるシート状コイル３４の長手方向が前後方向または左右方向と一致し、その短手方向が上下方向と一致するように配置されている。
【００４９】
以下では、４個のシート状コイル３４を区別して表す場合には、右側に配置されるシート状コイル３４を「シート状コイル３４Ａ」、前側に配置されるシート状コイル３４を「シート状コイル３４Ｂ」、左側に配置されるシート状コイル３４を「シート状コイル３４Ｃ」、後ろ側に配置されるシート状コイル３４を「シート状コイル３４Ｄ」と表記する。
【００５０】
シート状コイル３４の下端側には、コイル側凹部としての凹部３４ａが形成されている。凹部３４ａは、上側に向かって窪むように形成されるとともに略矩形状に形成されている。シート状コイル３４Ａ、３４Ｃでは、凹部３４ａは、前後方向における略中心位置に、かつ、前後方向における所定の範囲に形成されている。シート状コイル３４Ｂ、３４Ｄでは、凹部３４ａは、左右方向における略中心位置に、かつ、左右方向における所定の範囲に形成されている。
【００５１】
また、シート状コイル３４の下端側には、下側（反被写体側）に向かってわずかに突出する３個の凸部３４ｂ〜３４ｄが形成されている。シート状コイル３４Ａでは、凹部３４ａの後端に繋がるように凸部３４ｂが形成され、凹部３４ａの前端に繋がるように凸部３４ｃが形成され、シート状コイル３４Ａの前端側に凸部３４ｄが形成されている。シート状コイル３４Ｂでは、凹部３４ａの右端に繋がるように凸部３４ｂが形成され、凹部３４ａの左端に繋がるように凸部３４ｃが形成され、シート状コイル３４Ｂの左端側に凸部３４ｄが形成されている。シート状コイル３４Ｃでは、凹部３４ａの前端に繋がるように凸部３４ｂが形成され、凹部３４ａの後端に繋がるように凸部３４ｃが形成され、シート状コイル３４Ｃの後端側に凸部３４ｄが形成されている。シート状コイル３４Ｄでは、凹部３４ａの左端に繋がるように凸部３４ｂが形成され、凹部３４ａの右端に繋がるように凸部３４ｃが形成され、シート状コイル３４Ｄの右端側に凸部３４ｄが形成されている。
【００５２】
シート状コイル３４には、第１半田ランドしての２個の半田ランド４１、４２と、第２半田ランドとしての１個の半田ランド４３との合計３個の半田ランドが形成されている。半田ランド４１〜４３は、略長方形状に形成されている。また、半田ランド４１〜４３は、前後方向または左右方向におけるシート状コイル３４の外側面に形成されている。すなわち、シート状コイル３４Ａの右面、シート状コイル３４Ｂの前面、シート状コイル３４Ｃの左面、および、シート状コイル３４Ｄの後面に、半田ランド４１〜４３が形成されている。さらに、半田ランド４１、４２は、シート状コイル３４の下端側に形成され、半田ランド４３は、上下方向におけるシート状コイル３４の略中心位置に形成されている。
【００５３】
半田ランド４１、４２は、前後方向または左右方向における凸部３４ｂ、３４ｃの外側に形成されている。すなわち、シート状コイル３４Ａでは、凸部３４ｂの後ろ側に半田ランド４１が形成され、凸部３４ｃと凸部３４ｄとの間に半田ランド４２が形成されている。シート状コイル３４Ｂでは、凸部３４ｂの右側に半田ランド４１が形成され、凸部３４ｃと凸部３４ｄとの間に半田ランド４２が形成されている。シート状コイル３４Ｃでは、凸部３４ｂの前側に半田ランド４１が形成され、凸部３４ｃと凸部３４ｄとの間に半田ランド４２が形成されている。シート状コイル３４Ｄでは、凸部３４ｂの左側に半田ランド４１が形成され、凸部３４ｃと凸部３４ｄとの間に半田ランド４２が形成されている。
【００５４】
半田ランド４３は、前後方向または左右方向において、半田ランド４１、４２からずれた位置に形成されている。具体的には、シート状コイル３４Ａでは、半田ランド４３は、シート状コイル３４Ａの前端側に形成されており、半田ランド４２よりも前側に配置されている。シート状コイル３４Ｂでは、半田ランド４３は、シート状コイル３４Ｂの左端側に形成されており、半田ランド４２よりも左側に配置されている。シート状コイル３４Ｃでは、半田ランド４３は、シート状コイル３４Ｃの後端側に形成されており、半田ランド４２よりも後ろ側に配置されている。シート状コイル３４Ｄでは、半田ランド４３は、シート状コイル３４Ｄの右端側に形成されており、半田ランド４２よりも右側に配置されている。
【００５５】
半田ランド４１〜４３は、コイル取付部３５ａに形成される半田ランド（図示省略）に半田付けされて固定されている。半田ランド４１、４２は、コイル部３３に電力を供給するためのものであり、半田ランド４１には、コイル部３３を構成する銅配線の一端が電気的に接続され、半田ランド４２には、コイル部３３を構成する銅配線の他端が電気的に接続されている。半田ランド４３は、コイル取付部３５ａへのシート状コイル３４の固定強度を高めるためのものであり、半田ランド４３には、コイル部３３は電気的に接続されていない。
【００５６】
フレキシブルプリント基板（ＦＰＣ）３５の厚さは、シート状コイル３４の厚さよりも薄くなっている。たとえば、ＦＰＣ３５の厚さは、シート状コイル３４の厚さの４分の１程度となっている。このＦＰＣ３５は、上述のように、コイル取付部３５ａと外部接続部３５ｂとを備えている。コイル取付部３５ａは、略長方形状の細長い帯状に形成されている。コイル取付部３５ａの上下方向の幅（すなわち、帯状に形成されるコイル取付部３５ａの短手方向の幅）は、シート状コイル３４の上下方向の幅よりも狭くなっている。また、コイル取付部３５ａは、シート状コイル３４Ａが取り付けられる第１取付部３５ｃと、シート状コイル３４Ｂが取り付けられる第２取付部３５ｄと、シート状コイル３４Ｃが取り付けられる第３取付部３５ｅと、シート状コイル３４Ｄが取り付けられる第４取付部３５ｆとから構成されている。
【００５７】
コイル取付部３５ａの長手方向における第１取付部３５ｃの一端には、第２取付部３５ｄの一端が繋がり、第１取付部３５ｃの他端には、第４取付部３５ｆの一端が繋がっている。コイル取付部３５ａの長手方向における第２取付部３５ｄの他端には、第３取付部３５ｅの一端が繋がっている。コイル取付部３５ａは、第１取付部３５ｃと第２取付部３５ｄとの境界、第１取付部３５ｃと第４取付部３５ｆとの境界、および、第２取付部３５ｄと第３取付部３５ｅとの境界の３箇所で略直角に折り曲げられることで、筒部２５ｂの内周面に沿うように、略四角筒状に折り曲げられている。
【００５８】
第１取付部３５ｃ、第２取付部３５ｄ、第３取付部３５ｅおよび第４取付部３５ｆの、シート状コイル３４の凹部３４ａに対応する位置には、基板側凹部としての凹部３５ｇが形成されている。凹部３５ｇは、第１取付部３５ｃ、第２取付部３５ｄ、第３取付部３５ｅおよび第４取付部３５ｆの下端側に形成されている。また、凹部３５ｇは、上側に向かって窪むように形成されるとともに略矩形状に形成されている。
【００５９】
また、第１取付部３５ｃ、第２取付部３５ｄ、第３取付部３５ｅおよび第４取付部３５ｆには、上側に突出する略長方形状の突出部３５ｈが形成されている。第１取付部３５ｃでは、第１取付部３５ｃの前端側に突出部３５ｈが形成され、第２取付部３５ｄでは、第２取付部３５ｄの左端側に突出部３５ｈが形成され、第３取付部３５ｅでは、第３取付部３５ｅの後端側に突出部３５ｈが形成され、第４取付部３５ｆでは、第４取付部３５ｆの右端側に突出部３５ｈが形成されている。突出部３５ｈには、シート状コイル３４の半田ランド４３が半田付けされて固定される半田ランドが形成されており、半田ランド４３は、突出部３５ｈに半田付けされて固定されている。なお、コイル取付部３５ａの、突出部３５ｈが形成された部分の上下方向の幅は、シート状コイル３４の上下方向の幅よりも狭くなっている。
【００６０】
第３取付部３５ｅに形成される突出部３５ｈには、円形状の貫通孔３５ｊが形成されている。また、第４取付部３５ｆの凹部３５ｇの上側には、長円形状の貫通孔３５ｋが形成されている。第４取付部３５ｆの、貫通孔３５ｋが形成される部分は、上側に向かって突出している。
【００６１】
外部接続部３５ｂは、帯状に形成されている。この外部接続部３５ｂは、第１取付部３５ｃの前端側の下端に繋がっており、第１取付部３５ｃの前端側の下端から引き出されている。すなわち、外部接続部３５ｂは、略四角筒状に折り曲げられたコイル取付部３５ａが展開された状態において、コイル取付部３５ａの長手方向の略中心位置から引き出されている。外部接続部３５ｂは、上述のように、ＦＰＣ２１に接続されている。
【００６２】
シート状コイル３４は、その下端側とコイル取付部３５ａの下端側とが略一致するように、コイル取付部３５ａに取り付けられている。また、シート状コイル３４は、凹部３４ａと凹部３５ｇとが、前後方向または左右方向で重なるように、コイル取付部３５ａに取り付けられている。シート状コイル３４がコイル取付部３５ａに取り付けられた状態では、前後方向または左右方向における突出部３５ｈの内側面は、前後方向または左右方向におけるシート状コイル３４の外側面の上端側に接触している。また、シート状コイル３４がコイル取付部３５ａに取り付けられた状態では、凸部３４ｂ〜３４ｄは、コイル取付部３５ａの下端よりも下側へわずかに突出している。
【００６３】
また、４個のシート状コイル３４は、コイル取付部３５ａの長手方向において所定の隙間をあけた状態で、略四角筒状に折り曲げられたコイル取付部３５ａの内周面に取り付けられている。本形態では、シート状コイル３４Ａとシート状コイル３４Ｂとの間の隙間部分に第１取付部３５ｃと第２取付部３５ｄとの境界が配置され、シート状コイル３４Ａとシート状コイル３４Ｄとの間の隙間部分に第１取付部３５ｃと第４取付部３５ｆとの境界が配置され、シート状コイル３４Ｂとシート状コイル３４Ｃとの間の隙間部分に第２取付部３５ｄと第３取付部３５ｅとの境界が配置されている。コイル取付部３５ａは、シート状コイル３４Ａとシート状コイル３４Ｂとの間の隙間部分、シート状コイル３４Ａとシート状コイル３４Ｄとの間の隙間部分、および、シート状コイル３４Ｂとシート状コイル３４Ｃとの間の隙間部分の３箇所で略直角に折り曲げられることで、略四角筒状に形成されている。
【００６４】
なお、コイル取付部３５ａにシート状コイル３４を取り付ける際には、所定の治具にコイル取付部３５ａおよびシート状コイル３４が固定される。コイル取付部３５ａに形成される貫通孔３５ｊ、３５ｋは、この治具に対してコイル取付部３５ａを位置決めするために使用される。また、シート状コイル３４の凹部３４ａとコイル取付部３５ａの凹部３５ｇとは、シート状コイル３４とコイル取付部３５ａとの位置合わせをするために使用される。
【００６５】
筒部２５ｂの内周面に沿うように略四角筒状に折り曲げられたコイル取付部３５ａの外周面は、筒部２５ｂの内周面に取り付けられている。上述のように、コイル取付部３５ａの上下方向の幅は、シート状コイル３４の上下方向の幅よりも狭くなっている。また、シート状コイル３４は、その下端側とコイル取付部３５ａの下端側とが略一致するように、コイル取付部３５ａに取り付けられている。そのため、図２に示すように、シート状コイル３４の上端側と筒部２５ｂの内周面との間には、コイル取付部３５ａの厚さ分の隙間Ｓが形成されている。本形態では、接着剤によって、シート状コイル３４およびコイル取付部３５ａが筒部２５ｂの内周面に固定されており、隙間Ｓは、シート状コイル３４およびコイル取付部３５ａを筒部２５ｂの内周面に固定するための接着剤が溜まる接着剤溜まりとなっている。
【００６６】
シート状コイル３４が取り付けられた状態のコイル取付部３５ａを筒部２５ｂの内周面に取り付ける際には、まず、筒部２５ｂの内周面に接着剤を塗布する。また、第１取付部３５ｃと第２取付部３５ｄとの境界、第１取付部３５ｃと第４取付部３５ｆとの境界、および、第２取付部３５ｄと第３取付部３５ｅとの境界の３箇所でコイル取付部３５ａを略四角筒状に折り曲げる。このときには、筒部２５ｂの内周側にコイル取付部３５ａをスムーズに挿入するために、コイル取付部３５ａの外形が筒部２５ｂの内周面よりも小さくなるように、コイル取付部３５ａを略四角筒状に折り曲げる。その後、筒部２５ｂの下端側から筒部２５ｂの内周側にコイル取付部３５ａを挿入して、コイル取付部３５ａを筒部２５ｂの内周面に固定する。
【００６７】
（本形態の主な効果）
以上説明したように、本形態では、ケース体２５の筒部２５ｂの内周面に固定されるコイル取付部３５ａは、シート状コイル３４Ａとシート状コイル３４Ｂとの間の隙間部分、シート状コイル３４Ａとシート状コイル３４Ｄとの間の隙間部分、および、シート状コイル３４Ｂとシート状コイル３４Ｃとの間の隙間部分の３箇所で略直角に折り曲げられることで、略四角筒状に形成されている。また、本形態では、コイル取付部３５ａの厚さは、シート状コイル３４の厚さよりも薄くなっている。すなわち、本形態では、シート状コイル３４よりも薄くなっている箇所でコイル取付部３５ａが折り曲げられている。そのため、本形態では、略四角筒状に折り曲げられたコイル取付部３５ａの形状が安定しやすくなり、略四角筒状に折り曲げられたコイル取付部３５ａを取り扱いやすくなる。したがって、本形態では、シート状コイル３４およびコイル取付部３５ａの筒部２５ｂへの取付作業を容易に行うことが可能になる。
【００６８】
また、本形態では、コイル取付部３５ａの厚さがシート状コイル３４の厚さよりも薄くなっているため、コイル取付部３５ａを略四角筒状に折り曲げても、コイル取付部３５ａの折り曲げ部に割れが発生しにくい。したがって、本形態では、コイル取付部３５ａの割れに起因して発生する異物によって光学装置１で撮影される画像の品質が低下するといった問題が生じにくい。
【００６９】
本形態では、シート状コイル３４の上端側と筒部２５ｂの内周面との間に、コイル取付部３５ａの厚さ分の隙間Ｓが形成されており、隙間Ｓは、シート状コイル３４およびコイル取付部３５ａを筒部２５ｂの内周面に固定するための接着剤が溜まる接着剤溜まりとなっている。そのため、本形態では、シート状コイル３４およびコイル取付部３５ａの筒部２５ｂへの取付強度を高めることが可能になる。
【００７０】
また、本形態では、シート状コイル３４の上端側と筒部２５ｂの内周面との間に隙間Ｓが形成されるように、コイル取付部３５ａにシート状コイル３４が取り付けられているため、筒部２５ｂの内周面に接着剤を塗布した後、筒部２５ｂの下端側から筒部２５ｂの内周側にコイル取付部３５ａを挿入して、コイル取付部３５ａを筒部２５ｂの内周面に固定する際に、筒部２５ｂの内周面に塗布された接着剤がコイル取付部３５ａによって擦り取られて底部２５ａ側へ押し出されてしまうのを防止することが可能になる。したがって、本形態では、筒部２５ｂの内周面に塗布された接着剤が他の部材や治具等に付着するといった不具合を防止することが可能になる。
【００７１】
本形態では、コイル取付部３５ａに上側に突出する突出部３５ｈが形成されており、前後方向または左右方向における突出部３５ｈの内側面は、前後方向または左右方向におけるシート状コイル３４の外側面の上端側に接触している。そのため、本形態では、突出部３５ｈによって、ＺＸ平面またはＹＺ平面と略平行に配置されるシート状コイル３４の、ＺＸ平面またはＹＺ平面に対する傾き（倒れ）を抑制することが可能になる。特に本形態では、シート状コイル３４の半田ランド４３が半田付けされて固定される半田ランドが突出部３５ｈに形成されており、半田ランド４３が突出部３５ｈに半田付けされて固定されているため、ＺＸ平面またはＹＺ平面に対するシート状コイル３４の傾きを効果的に抑制することが可能になる。したがって、本形態では、駆動用磁石３８とコイル部３３との隙間を適正に保つことが可能になる。また、シート状コイル３４の上端側と筒部２５ｂの内周面との間に、コイル取付部３５ａの厚み分の隙間Ｓを適切に形成することが可能になる。
【００７２】
本形態では、コイル部３３に電力を供給するための半田ランド４１、４２に加えて、半田ランド４３がコイル取付部３５ａに形成される半田ランドに半田付けされて固定されている。そのため、本形態では、コイル取付部３５ａに対するシート状コイル３４の固定強度を高めることが可能になる。
【００７３】
本形態では、外部接続部３５ｂは、略四角筒状に折り曲げられたコイル取付部３５ａが展開された状態において、コイル取付部３５ａの長手方向の略中心位置から引き出されている。そのため、本形態では、外部接続部３５ｂとコイル取付部３５ａとの接続部分において、４個のコイル部３３に接続される複数の配線パターンがコイル取付部３５ａの両端部のそれぞれに向かって分岐される。したがって、本形態では、コイル取付部３５ａにおいて、上下方向に並ぶ配線パターンの数を減らすことが可能になり、その結果、上下方向におけるコイル取付部３５ａの幅を狭くすることが可能になる。
【００７４】
本形態では、シート状コイル３４に下側に向かって突出する凸部３４ｂ〜３４ｄが形成されている。そのため、本形態では、板バネ６の保持側固定部がシート状コイル３４よりも下側で下ケース体２６の側面部２６ｂの上端に溶接で固定されていても、凸部３４ｂ〜３４ｄを利用して、保持側固定部の側面部２６ｂへの溶接部分とシート状コイル３４の本体部分との距離を確保することが可能になる。したがって、本形態では、保持側固定部が側面部２６ｂに溶接される際の火の粉がシート状コイル３４の本体部分に飛んでシート状コイル３４の本体部分が損傷するのを防止することが可能になる。また、本形態では、シート状コイル３４とコイル取付部３５ａとの半田付け部分と、保持側固定部の側面部２６ｂへの溶接部分とが短絡するのを防止することが可能になる。
【００７５】
本形態では、シート状コイル３４に凹部３４ａが形成され、コイル取付部３５ａに凹部３５ｇが形成されている。また、本形態では、凹部３４ａと凹部３５ｇとが、シート状コイル３４とコイル取付部３５ａとの位置合わせに使用されている。そのため、本形態では、シート状コイル３４をコイル取付部３５ａに取り付ける際の、シート状コイル３４とコイル取付部３５ａとの位置合わせが容易になる。
【００７６】
（他の実施の形態）
上述した形態は、本発明の好適な形態の一例ではあるが、これに限定されるものではなく本発明の要旨を変更しない範囲において種々変形実施が可能である。
【００７７】
上述した形態では、可動モジュール４の外周側に駆動用磁石３８が取り付けられ、ケース体２５の筒部２５ｂの内周面にシート状コイル３４およびＦＰＣ３５が取り付けられている。この他にもたとえば、駆動用磁石３８が筒部２５ｂの内周面に取り付けられ、シート状コイル３４およびコイル取付部３５ａが可動モジュール４の外周側に取り付けられても良い。この場合には、たとえば、可動モジュール４は、可動モジュール４の前後左右の側面を構成する略四角筒状のカバー部材を備えており、カバー部材の外周面に沿うように略四角筒状に折り曲げられたコイル取付部３５ａの外周面にシート状コイル３４が取り付けられ、略四角筒状に折り曲げられたコイル取付部３５ａの内周面がカバー部材の外周面に取り付けられる。この場合であっても、上述した形態と同様の効果を得ることができる。
【００７８】
上述した形態では、１個のコイル部３３を有する４個のシート状コイル３４がコイル取付部３５ａに取り付けられている。この他にもたとえば、２個のコイル部３３を有する２個のシート状コイルがコイル取付部３５ａに取り付けられても良い。この場合には、コイル取付部３５ａの長手方向において所定の隙間をあけた状態で２個のシート状コイルがコイル取付部３５ａに取り付けられる。また、この場合には、２個のシート状コイルの隙間部分でコイル取付部３５ａが略直角に折り曲げられるとともに、１個のシート状コイルが有する２個のコイル部３３の間の所定の箇所でシート状コイルおよびコイル取付部３５ａが略直角に折り曲げられて、シート状コイルが取り付けられたコイル取付部３５ａが略四角筒状に形成される。この場合であっても、上述の特許文献１に記載の光学ユニットと比較して、ケース体２５の筒部２５ｂへのシート状コイルの取付作業が容易になり、かつ、筒部２５ｂへのシート状コイルの取付強度を高めることが可能になる。
【００７９】
上述した形態では、シート状コイル３４は、その下端側とコイル取付部３５ａの下端側とが略一致するように、コイル取付部３５ａに取り付けられている。この他にもたとえば、シート状コイル３４は、その上下方向における中心位置にコイル取付部３５ａが配置されるように、コイル取付部３５ａに取り付けられても良い。この場合には、突出部３５ｈに加えて、または、突出部３５ｈに代えて、コイル取付部３５ａの下側に突出する突出部がコイル取付部３５ａに形成されても良い。
【００８０】
上述した形態では、コイル取付部３５ａへのシート状コイル３４の固定強度を高めるための１個の半田ランド４３がシート状コイル３４に形成されている。この他にもたとえば、コイル取付部３５ａへのシート状コイル３４の固定強度を高めるための２個以上の半田ランドがシート状コイル３４に形成されても良い。また、コイル取付部３５ａへのシート状コイル３４の固定強度を確保できるのであれば、シート状コイル３４に半田ランド４３が形成されなくても良い。
【００８１】
上述した形態では、半田ランド４１、４２は、シート状コイル３４の下端側に形成されている。この他にもたとえば、半田ランド４１、４２のいずれか一方がシート状コイル３４の下端側に形成され、半田ランド４１、４２のいずれか他方がシート状コイル３４の上端側に形成されても良い。この場合には、半田ランド４３は、シート状コイル３４の上端側に形成されても良いし、シート状コイル３４の下側に形成されても良いし、上下方向におけるシート状コイル３４の略中心位置に形成されても良い。また、この場合には、半田ランド４１、４２は、前後方向または左右方向において同じ位置に形成されても良いし、前後方向または左右方向において互いにずれた位置に形成されても良い。半田ランド４１、４２が前後方向または左右方向において同じ位置に形成される場合には、半田ランド４３は、前後方向または左右方向において半田ランド４１、４２とずれた位置に形成される。また、半田ランド４１、４２が前後方向または左右方向において互いにずれた位置に形成される場合には、半田ランド４３は、前後方向または左右方向において半田ランド４１または半田ランド４２と同じ位置に形成されても良いし、前後方向または左右方向において半田ランド４１、４２からずれた位置に形成されても良い。
【００８２】
上述した形態では、光学装置１は、光軸方向から見たときの形状が略正方形状となるように形成されているが、光学装置１は、光軸方向から見たときの形状が略長方形状となるように形成されても良い。また、光学装置１は、光軸方向から見たときの形状がその他の多角形状となるように形成されても良い。この場合には、光学装置１の形状に応じて、ケース体２５の筒部２５ｂが多角筒状に形成される。また、筒部２５ｂの形状に応じた複数のシート状コイル３４がコイル取付部３５ａに取り付けられ、複数のシート状コイル３４が取り付けられたコイル取付部３５ａは、筒部２５ｂの内周面に沿うように、多角筒状に折り曲げられる。また、光学装置１は、光軸方向から見たときの形状が円形状や楕円形状となるように形成されても良い。
【００８３】
上述した形態では、レンズ駆動機構３０は、レンズ駆動用コイル３２と駆動用磁石３８とを備えるいわゆるボイスコイルモータである。この他にもたとえば、レンズ駆動機構３０は、レンズを光軸方向へ移動させるための圧電素子を備えていても良いし、形状記憶合金を備えていても良い。また、上述した形態では、光学装置１は、オートフォーカス機能を備えているが、光学装置１は、オートフォーカス機能を備えていなくても良い。すなわち、光学装置１は、レンズ駆動機構３０を備えていなくても良い。
【００８４】
上述した形態では、可動モジュール４を可動部とし、支持体５を保持部とする光学装置１を例に本発明の実施の形態を説明したが、本発明の構成は、光学装置１以外の光学装置にも適用可能である。たとえば、本発明の構成は、可動体８を可動部とし、可動体８を光軸方向へ移動可能に保持する保持体９を保持部とし、可動体８を光軸方向へ駆動するレンズ駆動機構３０を駆動機構とする可動モジュール４にも適用可能である。
【符号の説明】
【００８５】
１  光学装置
４  可動モジュール（可動部）
５  支持体（保持部）
６  板バネ
２５  ケース体
２５ｂ  筒部
３１  振れ補正機構（駆動機構）
３３  コイル部
３４  シート状コイル
３４ａ  凹部（コイル側凹部）
３４ｂ〜３４ｄ  凸部
３５  ＦＰＣ（フレキシブルプリント基板）
３５ａ  コイル取付部
３５ｂ  外部接続部
３５ｇ  凹部（基板側凹部）
３５ｈ  突出部
３５ｊ、３５ｋ  貫通孔
３８  駆動用磁石
４１、４２  半田ランド（第１半田ランド）
４３  半田ランド（第２半田ランド）
Ｌ  光軸
Ｚ  光軸方向
Ｚ１  被写体側
Ｚ２  反被写体側
【図１】
2014115493.tif 000003
【図２】
2014115493.tif 000004
【図３】
2014115493.tif 000005
【図４】
2014115493.tif 000006
【図５】
2014115493.tif 000007
【図６】
2014115493.tif 000008
【図７】
2014115493.tif 000009